(57)【特許請求の範囲】
【請求項１】
駐車操作時に車両の後方をカメラにより撮像し、該カメラからの映像を後方画像として車内に設けられた表示器に表示して、前記後方画像にステアリング舵角の状態により変化する走行予想軌跡を前記後方画像に重ねて表示する駐車補助装置において、縦列駐車を指示する駐車指示手段と、該駐車指示手段により縦列駐車が指示された時、ステアリング舵角に応じて変極点のある走行予想軌跡を表示する走行予想軌跡表示手段を備えたことを特徴とする駐車補助装置。
【請求項２】
前記走行予想軌跡は、縦列駐車が車両特性により行える範囲で表示され、前記走行予想軌跡の後端近傍にマーカーが表示される請求項１に記載の駐車補助装置。
【請求項３】
車両の後進状態を検出する後進状態検出手段と、後進を開始した場合に車両特性により縦列駐車の切り返し点を決定する切り返し点決定手段を備え、車両が切り返し点に到達前ではステアリング舵角に応じた切り返し点以降の走行予想軌跡に切り換える請求項２に記載の駐車補助装置。
【請求項４】
前記マーカーの位置が路側または縁石に並行になったとき、あるいは、前記走行予想軌跡の端部が縦列駐車を行う場所の後に駐車中の車両と平行になったとき、車両が切り返し点に到達したものとし、前記走行予想軌跡の表示を切り換える請求項３に記載の駐車補助装置。
【請求項５】
前記変曲点のある走行予想軌跡は、Ｓ字形状の走行予想軌跡である請求項１ないし４のいずれか一項に記載の駐車補助装置。
【発明の詳細な説明】
【０００１】
【発明の属する技術分野】
本発明は、車両の駐車を補助する駐車補助装置に関するものであり、特に、後方画像をカメラにより撮影し、車内の表示器（モニタディスプレィ）に後方画像を表示させ、駐車操作時にドライバーの駐車操作を補助する駐車補助装置に係わる。
【０００２】
【従来の技術】
従来、縦列駐車や車庫入れ等の駐車に不慣れな初心者を駐車操作時に補助する方法が知られている。例えば、特開平７−１７３２８号公報では車体の周囲にＣＣＤカメラや距離測定を行う距離センサを設け、車両の周辺の様子を探知し、車両の室内に設けられたディスプレィ上に車両周辺の周辺画像を鳥瞰図的に表示してドライバに周囲の状況を提供している。
【０００３】
また、特開昭５９−２０１０８２号公報においては、ステアリング舵角をステアリングセンサにより検出し、ステアリング操舵角を計算して簡易なディスプレィにより出力するもの、また、特開平８−２３５７号公報に示されるものでは車両の後方に設けられた物体検知用の測距センサにより、障害物（特に、駐車しようとする駐車スペースの隣りに駐車している車等）との距離を測り、その距離に応じて最大舵角による転舵開始位置を検出し、転舵開始位置をドライバに報知する方法が知られている。
【０００４】
【本発明が解決しようとする課題】
しかしながら、上記した従来の方法では様々なセンシング技術を用いて、車両の周辺の障害物を検知することが前提となっており、その処理のためのシステムが複雑になってしまう。また、測距センサ等により近くにある障害物との距離を測り報知する方法では、駐車スペースの隣りに駐車している車がない場合や人や物等の急な飛び出しに対しての対応が困難で、適切に駐車を補助するものではない。
【０００５】
そこで、このような問題点を解決するため、簡易な方法により駐車を補助し、駐車操作時にドライバーに対して有用な情報を適切に提供することを目的とした駐車補助装置を、特開平１１−３３４４７０号において提案した。この装置は車両（自車）の後方を車両後方に設けられたカメラにより検出し、車内の表示器にカメラで撮像した映像を後方画像として表示するものであり、駐車操作時においては、車両のステアリング舵角（操舵角または実舵角）により変化する走行予想軌跡を後方画像に重ねて表示することにより、ドライバーに対して直角駐車操作時の補助を行うものである。
【０００６】
しかしながら、走行予想軌跡を後方画像に重ねて表示するこのような装置は、ドライバーに対して車両が後退（バック）で駐車する際、周囲の有益な情報を提供できるという点において利点があるが、実際の使用を考えた場合、特に縦列駐車において操作途中でステアリングホイールの切り返しを必要とし、ステアリングホイールをどれだけ切ってから戻すかのタイミングが判断しにくいと言ったことが挙げられ、特に、運転歴が浅い、初心者ドライバーにとっては難しく、ある程度の慣れを必要とする。
【０００７】
そこで、本発明は上記の問題点に鑑みてなされたものであり、初心者でも安心して駐車の操作が行え、駐車操作時の補助が適切になされる駐車補助装置を提供することを技術的課題とする。
【０００８】
【課題を解決するための手段】
上記の課題を解決するために講じた技術的手段は、駐車操作時に車両の後方をカメラ（１７）により撮像し、カメラからの映像を後方画像として車内に設けられた表示器（１３）に表示して、後方画像にステアリング舵角の状態により変化する走行予想軌跡（２０）を後方画像に重ねて表示する駐車補助装置（１）において、
縦列駐車を指示する駐車指示手段（４ｂ）と、駐車指示手段により縦列駐車が指示された時、ステアリング舵角に応じて変極点のある走行予想軌跡（２０ａ）を表示する走行予想軌跡表示手段（９，１１，１２，１３）を備えたものとした。
【０００９】
これによれば、駐車指示手段により縦列駐車が指示された時、ステアリング舵角に応じて変極点のある走行予想軌跡が表示されるので、縦列駐車の場合においてドライバーは変極点のある（例えば、略Ｓ字形状となる）走行予想軌跡を基にして後方の駐車スペースに縦列駐車が行えるか否かが初期位置にいながらにしてわかる。この場合、駐車操作を行う初期において縦列駐車に必要な操舵量がわかることから、初心者でも安心して駐車の操作が行える。
【００１０】
この走行予想軌跡は、縦列駐車が車両特性により行える所定の範囲（図１５のＬ）で表示され、走行予想軌跡（２０ａ）の後側面近傍にマーカー（２０ｂ）が表示されるようにすれば、表示されるマーカーの表示位置による操作判断をマーカーを基に適切に行うことが可能となる。
【００１１】
また、車両の後進状態を検出する後進状態検出手段（３，５，６）と、後進を開始した場合に車両特性により縦列駐車の切り返し点（ＰＴ）を決定する切り返し点決定手段（１１）を備え、車両が切り返し点に到達前ではステアリング舵角に応じた切り返し点以降の走行予想軌跡（２０）に切り換え表示するようにすれば、後進状態を検出し、切り返し点までの操作状態をマーカーの位置により実際の後方画像に合わせて適切に知ることが可能となる。つまり、マーカーによって、ステアリングホイールをどれだけ切ってから戻すかといったタイミングが後方が表示される画面上で判断し易くなる。
【００１２】
更に、マーカーの位置が路側または縁石（４０）に並行になったとき、あるいは、走行予想軌跡の端部（２０ｃ）が縦列駐車を行う場所の後に駐車中の車両と平行になったとき、車両が切り返し点に到達したものとし、走行予想軌跡の表示を切り換えるようにすれば、切り換え点を通過した後、走行予想軌跡を駐車中の後方車両にあわせてステアリング舵角に応じて表示させたり、ステアリング舵角が中立の状態を示すようまっすぐ表示させたり、表示画面を消したりして表示形態を変え、操作状態がドライバーが解り易くすることが可能となる。
また、前記変曲点のある走行予想軌跡は、Ｓ字形状の走行予想軌跡であることが好ましい。
【００１３】
【発明の実施の形態】
以下、本発明の実施形態を図面を参照して説明する。
【００１４】
図１は駐車補助装置１のシステム構成図である。この図において、駐車補助装置１を制御するコントローラ１６には車両の後方を撮影するＣＣＤカメラ（以下、カメラと称す）１７、ステアリングホイール（ステアリング）２１の操舵角（転舵角ともいう）を検出するステアリングセンサ２、トランスミッションのシフトレバーのリバース（後退）状態を検出するシフトレバーリバーススイッチ３、通常の駐車や車庫入れ等に行う直角駐車や、縦列駐車を行う駐車操作時に駐車アシスト機能を動作させる駐車スイッチ４（直角駐車スイッチ４ａ、縦列駐車スイッチ４ｂ）、および、従動輪の左右の車輪速度を検出する車輪速センサ５，６からの信号が入力されており、これらの信号を基にコントローラ１６はディスプレィ１３上に車両の後方画像と後述する走行予想軌跡２０等を表示できるようになっている。また、この装置１には音声合成機能が付加されており、音声合成回路７により音声合成出力がなされ、スピーカ８からドライバに対して音声合成による出力が発せられるようになっている。
【００１５】
コントローラ１６の内部には制御を司るＣＰＵ１１、ディスプレィ１３にグラフィックスを描画するグラフィックス描画回路１２、グラフィックス信号とカメラ１７からの後方画像を重ね合わせるスーパーインポーズ回路９、カメラ画像から同期信号を抽出してグラフィックス描画回路１２へ供給する同期分離回路１０、カメラ１７からの信号を受けて駐車区画（駐車スペース）３０の画像認識を行う駐車区画検出用の画像認識装置１５が設けられている。尚、この画像認識装置１５はコントローラ１６に別体で設けることも可能である。
【００１６】
ディスプレィ１３には、ステアリング舵角の状態により点灯状態が変化する舵角表示マーカー１４が設けられ、ステアリング舵角の状態により表示マーカー１４は左，右，中央のいずれかが点灯し、ステアリング２１がどちら方向に転舵されているかが、後方画像と一緒にわかるようにすることができる。尚、ここでいうステアリング舵角とは、ステアリング２１を回したときの中立位置からの操舵角（転舵角）であっても、左右の車輪が進行方向から向く実舵角であっても良い。また、駐車区画３０の画像認識および駐車操作時における音声合成については、ここでは説明を省略する。
【００１７】
図２は、駐車補助装置１を車両に取り付けた場合の取付図を示す。後方を撮像するカメラ１７は車両後方のナンバープレートの上中央付近に取り付けられ、光軸を水平方向から下方に向けて設置される。具体的には、車両後方の中央に水平状態からの下方角度θが約３０度の状態で取り付けられ、カメラ自体は広角レンズにより左右１４０度の視野を確保し、後方８ｍ程度までの領域を撮影できる。
【００１８】
また、車両の室内のセンターコンソールにはパネル面にディスプレィ１３が備え付けられ、グローブボックス上方にはコントローラ１６が内部に設けられている。更に、駐車操作時に駐車補助を要求する駐車スイッチ４は、ドライバが操作し易いセンターコンソール近傍に設けられている。
【００１９】
次に、ステアリングセンサ２について、図３を参照して説明する。このステアリングセンサ２は市販のものを用いており、ステアリング２１の操舵角を検出する。これは、ステアリングコラムシャフト２３と一体回転するようにスリット板２ａが取付けられており、９０°の位相差がついた２組のフォトインタラプタ２ｃ，２ｂが取付けられている。この構成において、ディスク板２ａに円周状に設けられた複数のスリットの回転により、光を通過または遮断してフォトトランジスタをオン／オフさせることにより、Ａ相、Ｂ相の２つの信号パルスを出力している（図４参照）。これは、ステアリング２１の回転方向によりＡ相に対し、Ｂ相は９０°位相が遅れるか、または、進んで出力されるようになっており、ここでは、ステアリング舵角が１°／パルスのものを用いている。
【００２０】
次に、図５を参照してコントローラ１６の処理について説明する。コントローラ１６は電源オン（車両に設けられる図示しないアクセサリスイッチがオン）により、図５に示されるプログラムが実行される。まず最初のステップＳ１０１ではこの処理に必要なメモリに各種初期値を設定し、その後のステップＳ１０２においてシフトリバーススイッチ３の状態をチェックする。ここで、シフトリバーススイッチ３がリバースでないならばステップＳ１０２以降の処理を行わず、駐車補助を行わない。
【００２１】
一方、シフトリバーススイッチ３がオン（リバースの状態）であると、ステップＳ１０３を行う。ステップＳ１０３ではディスプレィ１３をカメラ画像モードに切り換えて、車両後方の画像を生画像として表示できるモードとし、この状態の基では通常のバックモニタとなる。
【００２２】
次に、ステップＳ１０４において後方画像に重ねて描画されたグラフィック画面のみをクリアし、ステップＳ１０５において駐車スイッチ４の状態、つまり、駐車スイッチ４の４ａ，４ｂのいずれかが操作された（押された）かが判定される。ここで、ドライバーが駐車補助を必要とせず、駐車スイッチ４が押されない場合には、ステップＳ１０２に戻り駐車補助を行わない。しかし、ドライバーにより駐車スイッチが操作されると、ステップＳ１０６においてステアリングセンサ２からステアリングセンサ値Ｎを読み込み、それを基に駐車操作時の旋回半径Ｒの算出を行う。具体的には、ステアリングセンサ２の読み込みをＡ相信号の立ち上がりエッジ検出時にメインプログラムに割り込みを発生させ、図６に示す割り込み処理を実行する。つまり、図６のステップＳ２０１においてＢ相信号の状態をチェックし、Ｂ相信号がハイ（Ｈ：高電位）なら、ステップＳ２０２においてステアリングカウント値Ｎをインクリメントし、ロー（Ｌ：低電位）ならデクリメントしてその値をメモリに記憶する。この場合、ステアリングカウント値Ｎは、１パルスが１°のため、θ＝Ｎとなる。
【００２３】
しかし、上記に示すステアリング値Ｎのカウントのみではステアリング２１の絶対舵角が不定となってしまうため、図７に示す中立点処理によりステアリング舵角の中立点を検出し、Ｎ＝０として中立点を決める。そこで、図７を参照して中立点決定について説明する。この処理では１秒周期のタイマ割り込みで実行される。ここでは、通常、車輪に備えつけられている公知の左右の車輪速センサ５，６からの信号により車体速度も算出する。
【００２４】
ステップＳ３０１，ステップＳ３０２では左右の車輪速センサ５，６からの信号（パルス）はコントローラ内部のＣＰＵ１１に内蔵されたハードウェアカウンタによりカウントされ、このタイマ割り込みルーチンで左右の車輪速が読み出され、車輪速センサ値が記憶されるメモリのＮR，ＮLに記憶される。読み出しの後、カウンタ自体はクリアされ、ＮR，ＮLは１秒毎のパルス数を示すものとなる。
【００２５】
次のステップＳ３０３においてＮR，ＮLからその平均値（ＮR＋ＮL）／２を演算し、この値にタイヤの周長を乗算し、公知の方法により容易に車速Ｖが求められる。次に、ステアリングセンサ２の基準設定であるが、ステップＳ３０４からステップＳ３０６では車速Ｖ、所定速度（１０Ｋｍ／ｈ）以上の時に左右の車輪速センサ５，６のパルス差がほとんどない状態をもって車両が直進状態であるとみなし、ステップＳ３０６でステアリングカウンタＮを零にしてリセットすることで、ステアリング舵角の中立点が求められる。
【００２６】
ステアリング舵角θが求まったら、図５のメインルーチンに戻り、次のステップＳ１０７において以下に示す走行予想軌跡２０（２０ａ）の演算を行う。そこで、走行予想軌跡２０（２０ａ）の求め方について説明する。
【００２７】
図８に示されるように低速時（ここでは、１０Ｋｍ／ｈ以下とする）の旋回中心Ｏは車両後方の車軸の延長線上に存在し、幾何学的関係によりステアリング操舵角（ステアリング舵角）θと車両のホイールベースＬとから、旋回半径Ｒは、Ｒ＝Ｌ／ｔａｎθという関係式により求まる。この場合、ステアリング舵角θ＝０の場合には、車両は直進している状態であり、Ｒ＝∞となる。
【００２８】
そこで、図１０ではカメラ上でのグラフィックス表示座標（ｘ，ｙ）を示し、図示の座標系を使用し、座標変換の方法を図１２に示す。ここで用いるカメラ１７は図１１に示されるように路面から上方Ｈｃの高さで光軸を水平状態から下方にθ＝３０°だけ傾けて取り付けられており、カメラ１７のレンズは広角で焦点深度が深くとられて、路面の画像をＣＣＤデバイスに描画するように構成されている。このため、路面座標系（Ｘ，Ｚ）とディスプレィ上での座標系（ｘ，ｙ）には以下に示すような写像関係が成立する。
【００２９】
具体的には、（Ｘ，Ｙ，Ｚ）：路面座標、（ｘ，ｙ）：ＣＣＤ素子面のカメラ座標、ｆ：カメラのレンズ焦点距離、（ｘ’，ｙ’，ｚ’）：レンズ座標、θ：カメラ取付け角度、Ｈｃ：路面からの取付け高さとすると、
ｘ＝ｆ・ｘ’／ｚ’，ｙ＝ｆ・ｙ’／ｚ’・・・（１）
ｘ’＝Ｘ  として、
ｙ’＝Ｚｓｉｎθ＋（Ｙ−Ｈｃ）ｃｏｓθ｝  ・・・（２）
ｚ’＝Ｚｃｏｓθ−（Ｙ−Ｈｃ）ｓｉｎθ  ・・・（３）
という関係式が成立する。ここで、路面上の座標のみに限定すれば、Ｙ＝０となり、ｘ，ｙを上記の関係式により求めれば、
ｘ＝ｆ・Ｘ／（Ｚｃｏｓθ＋Ｈｃ・ｓｉｎθ）  ・・・（４）
ｙ＝ｆ・（Ｚｓｉｎθ＋Ｈｃ・ｃｏｓθ）／（Ｚｃｏｓθ＋Ｈｃ・ｓｉｎθ）
・・・（５）
となる。つまり、路面上の点（Ｘ，Ｚ）をカメラ１７で撮影した場合のディスプレィ上でのグラフィックス画面上での座標（ｘ，ｙ）を（４），（５）の関係式より求めることができる。
【００３０】
上記の方法により求めた（ｘ，ｙ）の走行予想軌跡２０をディスプレィ上に表示する場合、車庫入れや駐車場での駐車の如く車両前部を直角方向にふる形態の駐車（ここでは、直角駐車という）の場合では、その表示方法は図９に示されるように、各種考えられる。つまり、（ａ）では車両の左右輪が通過する予想轍による表示する方法、（ｂ）では駐車時に車両が走行する走行エリアをベクトル表示する方法、（３）は一定距離間隔（はしご間隔：５０ｃｍ）がわかるようにしたはしご状に表示する方法等があり、ここでは（ｃ）を用いて、駐車操作時に距離感や各位置での車体の角度が分かり易い方法を採用している。この場合、走行予想軌跡２０の長さｌは固定長（例えば、直角駐車では３ｍ）にしたり、一定の角度分とし、旋回状態（緑色とする）と直進状態（青色とする）で色を変化させたり、更には、予想軌跡先端部のみを区別し易い表示にしたりする方法をとることもできる。
【００３１】
ステップＳ１０８では駐車操作時に転舵量がどれだけ必要であるかといったことの判断基準となる目印（マーカー）２０ｂの表示位置演算を行う。このマーカー２０ｂは後述するが、走行予想軌跡２０の後端近傍（ここでは、後端の側部から車幅方向に、例えば所定距離３０ｃｍだけ離れた場所）に表示されるものであって、これは旋回半径Ｒに対する法線方向に走行予想軌跡２０の後端２０ｃを基準とし、部分直線または部分曲線で表示される。尚、このマーカー２０ｂは、旋回半径Ｒを基にして、公知の幾何学的な算出方法により求めることができるため、ここでは詳細な説明を省略する。
【００３２】
次にステップＳ１０９では駐車の形態が判断され、ここでは縦列駐車スイッチ４ｂが押されたかが判断される。この縦列駐車スイッチ４ｂは縦列駐車中の車両（図１４のａ位置の横の車両）と所定距離ｄ（例えば、１ｍ）だけ離れ、その車両と後部を一致させて平行に並んで停まった状態において、ドライバーが操作する。ここで直角駐車の場合には、ステップＳ１１０において走行予想軌跡２０をディスプレィ上に後方画像を一緒に表示させる。尚、この場合、上記したマーカー２０ｂも走行予想軌跡２０に合わせて表示させることも可能である。
【００３３】
図１３はディスプレィ１３上での直角駐車での表示画面の一例であり、ステアリング２１を最大舵角で転舵した場合の軌跡を示す固定軌跡２６，２７も含め、ステアリング舵角により走行予想軌跡２０が変化する状態を示したものである。これは車両後方の実画像に、例えば、ドライバーの好みに応じて、駐車スイッチ４がオンしている（駐車補助要求ありの状態）場合にのみ、はしご状になった走行予定軌跡２０が重なり合って表示されるようにすることもできる。この場合、どれだけドライバーがステアリング２１を転舵しているかがわかるように、ディスプレィ１３の上または下側の一部に舵角の転舵状態を表示する表示マーカー１４を一緒に表示することで、実際にどれだけ転舵しているかが視覚的にわかるようにすることもできる。またこの場合、走行予想軌跡２０に付加して注意領域２８の表示を行っても良い。この注意領域２８は後方画像が表示されるディスプレィ表示画面の自車側に表示されるものであって、駐車操作時に車両がぶつかり易いところが走行予想軌跡２０とは表示形態が異なる別枠形状で表示される。この注意領域２８は車両がぶつかり易い場所へドライバーの注意を促し、安全性を向上させるものであり、具体的には、例えば長方形状の表示枠において、画面上で自車に近い側２８ｂと遠い側２８ａで表示形態、特に表示色を異なる（２８ｂの横のラインでは赤色、２８ａの横のラインでは黄色等で表示する）ようにすれば、自車のバンパー等がぶつかり易い、危険度の高い領域をより明確化して表示することができる。
【００３４】
次に、ステップＳ１１１以降の縦列駐車の処理について説明する。通常、縦列駐車は、ドライバーが道路端の縦列駐車が行えるスペースを見つけ車両を停止させる。その後、ステアリング２１を駐車させたい方向に転舵し、ある距離まで下がった位置でステアリング２１を反対方向に転舵して車両を幅寄せし、車両を路肩または歩道がある場所等においては縁石４０に沿って平行な状態で駐車を行うものである。これは、図１４に示されるように、車両の旋回中心が異なる２つの円弧を組み合わせたＳ字形状の軌跡上を車両が走行し、距離Lだけバックした地点で、路幅方向にDだけ移動し、道路に沿って平行になる（図１４）。
【００３５】
この場合、旋回半径Ｒとした場合、予め車両特性（ホイールベース、最少旋回半径等）により幾何学的に決定される距離L（＝Ｒｓｉｎθ、例えば、６ｍ程）に相当する長さ（Ｌは、曲線長さではない）で走行予想軌跡２０ａをディスプレィ上に表示すれば、走行予想軌跡２０の最後端２０ｃより遠方に駐車中の車両あるいは物体が存在する場合、自車は初期位置（図１４のａ位置）から駐車可能であることが駐車動作開始前に予見することができる。この場合、縦列駐車をしている車両と平行になった状態（縦列駐車初期位置）でステアリング２１を最大転舵またはそれに近い角度まで転舵した場合、切り返し点（変極点）ＰＴを有する旋回中心が異なるＳ字形状の予想軌跡２０ａを表示させる。これは、車両のステアリング特性から、ステアリング２１が転舵された量に対応して旋回半径Ｒが定まり、所定の距離Ｄだけ幅寄せを行うのに必要な前後方向の移動距離Ｌが決められ、幾何学的に演算により求めることができる。よって、カメラ１７から見た投影像に変換することは前述した方法により容易である。また、ステアリングシャフトに装着されたステアリングセンサ２からの舵角情報と、車両のステアリングギア比・ホイールベースからその車両の旋回半径Ｒを求めることができる。尚、図１５において、縦列駐車初期状態からステアリング２１の切り返し点ＰＴまでの回転角度をθ、車幅をＷｖ、既に縦列駐車中の車両と縦列駐車を行おうとしている車両との車幅中心をＤとした場合、Ｄ＝２Ｒ（１―ｃｏｓθ），Ｄ＝Ｗｖ＋ｄという関係式が求まり、例えば、Ｒ＝４ｍとした場合には、θ＝４９．５°となり、縦列駐車の可能な最少距離はＤ＝６．０８ｍとなる。
【００３６】
図５に戻り縦列駐車操作時における処理を説明すると、ステップＳ１１１において図１４に示すａ位置にいるかが判断される。このａ位置というのは縦列駐車している車両から所定距離ｄ（１ｍ）だけ離れ平行になっている状態、つまり、駐車を開始するため縦列駐車開始時に縦列駐車スイッチ４ｂが押されたときにはＳ１１１においてＳ字形状の走行予想軌跡２０ａおよび駐車操作時に指標となるマーカー２０ａを表示させる（図１６のａに示す実線参照）。車両がバックし始めるとＳ字形状をした走行予想軌跡２０ａは図１６の（ａ）に示す点線の状態に切り換わる。つまり、車両がバックし始めると、切り返し点ＰＴでの現在のステアリング舵角に応じた走行予想軌跡２０がマーカー２０ｂと共に表示される。また、切り返し点ＰＴを通過した後にはその走行予想軌跡２０およびマーカー２０ｂは図１６の（ｃ）のように表示させたり、ドライバーの好みによりこれらのものディスプレィ上から消すことができる。
【００３７】
その後、シフトレバーリバーススイッチ３の状態によりリバース状態であるかが判定され、リバース状態である場合には駐車操作を行っていることからディスプレィ画面上に走行予想軌跡２０（２０ａ）の表示を行うが、リバースの状態ではなくなった場合には、ステップＳ１１５においてディスプレィ表示をオフしてステップＳ１０２に戻る。
【００３８】
以上のような処理に基づき、本発明における駐車操作時の駐車シーケンスについて、順を追って説明する。
【００３９】
（直角駐車の場合）
図１３の（ａ）において最初に、固定軌跡２６，２７が遠方側の駐車区画３０の白線３１に接するように車両をバックさせることにより、車両を駐車補助基準位置を合わせる。この場合、カメラ１７は車両後部中央で地面より一定の高さの位置に光軸を下方に向けて後方の路面の様子が映るように設置されており、最初に適切な駐車補助基準位置に設定することにより始まる。まず、白線３１の中央よりも前方において固定軌跡２７が略かかるようにして、駐車補助基準位置に車両を停車させる。この場合、シフトレバーをリバース状態にしていると（ａ）に示す画面となる。尚、この場合では、最初舵角が真っ直ぐ（直進状態）になっている場合について一例として説明する。
【００４０】
ディスプレィ１３の画面には後方の駐車場の生映像（後方画像）と共に駐車予想軌跡２０、右側の固定軌跡線２６、左側の固定軌跡線２７、および、注意領域２８が重ねて表示される。固定軌跡線２６，２７は上記したようにステアリング２１を右または左に一杯近く切ったときの車両の後輪軌跡の内、外側ライン（外輪ライン）に対応しており、注意領域２８は、後方との近接距離の目安を与えるもので、走行予想軌跡２０は一定距離のはしご状表示としていることから、路面上に投影された距離スケールで表示される。この場合、バックして後方の物体が接近した場合、物体の路面からの高さの影響により、例えば、後方車両のバンパーはその高さのために表示上はＡ’の距離位置であるが、実際はより近いＡに接近していることとなる（図１１参照）。注意領域２８の表示ではその差を解消するために平均的なバンパー高さの位置で表示枠が水平に表示されるものであって、危険度の度合により表示色または表示線の太さを変え、バック時の接触の危険をドライバーに対して伝えるようにしている。
【００４１】
（ｂ）において、次にステアリング２１を回して、走行予想軌跡２０をこの場合では左側の固定軌跡２７に合わせるようにする。これは、基本的には停車した状態においてすえ切りを行って走行予想軌跡２０線を固定軌跡２７に一致させるようにするのであるが、この場合、ステアリング２１をドライバーの意図する方向に一定舵角θREF以上に転舵すると、転舵側でない固定軌跡２６は表示画面から消え、転舵方向のみの固定軌跡２７の表示となる。
【００４２】
（ｃ）ではステアリング２１を（ｂ）の状態において保持した状態で、ドライバーは画面および直接目視を行って後方または側方の安全確認をしながら車両をバックさせ、駐車区画３０へ車両を接近させる。
【００４３】
（ｄ）では車両が駐車区画内へ入り、ステアリング２１を直進状態に戻すようにする。この場合、注意領域２８と駐車区画３０の線との水平／垂直度合をドライバーは目視により判断し、ステアリング２１を直進状態に戻すと固定軌跡線２７の表示は消失する。
【００４４】
（ｅ）では後方に注意しながらバックして停車するのであるが、駐車区画３０への最後の接近状態では現在のカメラ取り付けでは駐車白線３１を視野内に捕らえることはできず、後端部停止位置の確認ができなくなるが、自車の後方に別の車両が駐車する場合に後の車両のバンパーがあろう位置の高さ（（ｅ）の斜線部）に注意領域２８が表示されるので、駐車時の衝突および物体と接触しないように、ドライバーに対して注意を促し、駐車を適切に補助することができる。このため、運転歴が浅いドライバーでも駐車基準位置から舵角の切り始め位置および切り量の判断が容易になされ、簡単に駐車を行うことができる。
【００４５】
（縦列駐車の場合）
縦列駐車を行おうとする場合、縦列駐車している車両に所定間隔ｄだけ離れた状態でその駐車車両と後部を略一致且つ平行して車両を停止させる（これを縦列駐車初期位置という）。この状態でドライバーはこれから縦列駐車を行おうとする意志をコントローラ１６のＣＰＵ１１に認識させるため、縦列駐車スイッチ４ｂを押す操作を行う。その後、ドライバーは駐車したい方向にステアリング２１をいっぱい（すえぎり状態）もしくはそれに近い状態になるまで転舵を行う。すると、コントローラ１６は予めメモリに記憶された車両特性（ホイールベース、最少回転半径等）および舵角に基づいて、Ｓ字形状の走行予想軌跡２０ａの演算を行い、それをディスプレィ上のカメラ１７からの後方画像に重ねて表示する。この場合、走行予想軌跡２０ａの後端２０ｃ（車両を移動させる一方の）側部にマーカー２０ｂを合わせて表示する。このようにしてＳ字形状の走行予想軌跡２０ａが表示されるが、このマーカー２０ｂは走行予想軌跡２０，２０ａの後端２０ｃから車幅方向に所定距離３０ｃｍ程だけ離れ、マーカー幅が１０ｃｍ程で後端２０ｃを最後尾として前方に一定の長さ５０〜１００ｃｍで表示される。尚、このような軌跡とマーカー２０ｂは、表示形態および表示色は好みに応じて変えることができる。このマーカー２０ｂは、駐車指標となり、縦列駐車を行う初期位置においては、Ｓ字形状の走行予想軌跡２０ａの後端２０ｃが後方に駐車中の車両にかかるか否かにより、ドライバーは縦列駐車が可能であるかを容易に知ることができる。縦列駐車が可能であるとドライバーは判断すると（後方の車両にＳ字形状の軌跡２０ａがかからない状態）、車両をバックさせる。バックが開始されるとＳ字形状の走行予想軌跡２０ａの表示はなくなり、今度は図１６の（ａ）に点線（一点鎖線および二点鎖線）で示される走行予想軌跡２０，２０’および軌跡２０の後方側部にマーカー２０ｂ（マーカー２０ｂの表示形態はＳ字形状の軌跡と同じ）が表示される。この場合での走行予想軌跡２０は、現在のステアリング舵角での切り返し点ＰＴにおける軌跡（もしくは、切り返し点を通過した後の軌跡）であり、走行予想軌跡２０’は切り返し点ＰＴに到達する前の実際車両のステアリング２１を転舵している方向の軌跡である。
【００４６】
ドライバーはバックを開始すると、ディスプレィ上には後方画像とともに切り返し点ＰＴ（もしくはそれ以降の軌跡）での走行予想軌跡２０を表示させると共に、実際の軌跡２０’を表示させる。駐車中の車両もしくは路肩、縁石４０等にマーカー２０ｂが略平行になるようバックすると、マーカー２０ｂの位置が上記したものに重なるかまたは平行になる。そのときの車両位置が切り返し点ＰＴとなり（図１６の（ｂ）参照）、ドライバーは切り返し点ＰＴに到達したことをディスプレィ上で容易に認識することができる。この場合、ステアリング２１を転舵するとそれに合わせて点線の走行予想軌跡２０’の表示方向が変化し、２０’を２０に一致させるようドライバーはステアリング操作を行い、引続いてバックする。
【００４７】
軌跡２０’が２０に重なって切り返し点ＰＴに到達すると、今度は、切り返し点ＰＴ以降の走行予想軌跡２０を表示させる。尚、この場合には直角駐車の場合のように、図１３に示す表示方法を用いて、走行予想軌跡２０を基にしてドライバーに対して駐車補助を行うようにしても良い。
【００４８】
このように、走行予想軌跡２０の後端２０ｃが後方の駐車車両に対して一定の距離をあけて並行に見えたとき、あるいは、マーカー２０ｂが路肩、道路の縁石４０、白線３１等に重なったときに、ステアリングを右に切れば切り返し点ＰＴの判断が容易にでき、ドライバーは以上のような表示を監視しながら操作すれば、車両は駐車車両に平行または路側、縁石４０等に対して、平行な位置で駐車することができる。
【００４９】
尚、このように駐車操作の補助が行われている場合、音声合成回路７により予め決められた音声信号をスピーカ８より出力し、その時の操作状況に応じて予め決められた音声メッセージをドライバーに対して出力し、音声により駐車操作時の案内を行うことにより駐車に不慣れな初心のドライバーでも適切に補助することができる。
【００５０】
【効果】
本発明によれば、駐車指示手段により縦列駐車が指示された時、ステアリング舵角に応じて変極点のある走行予想軌跡が表示されるので、縦列駐車の場合においてドライバーは変極点のある（例えば、略Ｓ字形状となる）走行予想軌跡を基にして後方の駐車スペースに縦列駐車が行えるか否かが駐車初期位置にいながらにしてわかる。この場合、駐車操作を行う初期において縦列駐車に必要な操舵量がわかることから、初心者でも安心して駐車の操作が行える。
【００５１】
この走行予想軌跡は、縦列駐車が車両特性により行える所定の範囲で表示され、走行予想軌跡の後側面近傍にマーカーが表示されるようにすれば、表示されるマーカーの表示位置による操作判断をマーカーを基に適切に行うことができる。
【００５２】
また、車両の後進状態を検出する後進状態検出手段と、後進を開始した場合に車両特性により縦列駐車の切り返し点を決定する切り返し点決定手段を備え、車両が切り返し点に到達前ではステアリング舵角に応じた切り返し点以降の走行予想軌跡に切り換え表示するようにすれば、後進状態を検出し、切り返し点までの操作状態をマーカーの位置により実際の後方画像に合わせて適切に知ることが可能となる。つまり、マーカーによって、ステアリングホイールをどれだけ切ってから戻すかといったタイミングが後方が表示される画面上で判断し易くなる。
【００５３】
更に、マーカーの位置が路側または縁石（４０）に並行になったとき、あるいは、走行予想軌跡の端部（２０ｃ）が縦列駐車を行う場所の後に駐車中の車両と平行になったとき、車両が切り返し点に到達したものとし、走行予想軌跡の表示を切り換えるようにすれば、切り換え点を通過した後、走行予想軌跡を駐車中の後方車両にあわせてステアリング舵角に応じて表示させたり、ステアリング舵角が中立の状態を示すようまっすぐ表示させたり、表示画面を消したりして表示形態を変え、操作状態がドライバーが解り易くすることが可能となる。
また、前記変曲点のある走行予想軌跡は、Ｓ字形状の走行予想軌跡であることが好ましい。
【図面の簡単な説明】
【図１】  本発明の一実施形態における駐車補助装置のシステム構成図である。
【図２】  本発明の一実施形態における駐車補助装置を車両へ取付けた場合の取付図である。
【図３】  本発明の一実施形態におけるステアリングセンサを示し、（ａ）はステアリングコラムシャフトへ取り付けた場合のステアリングセンサの平面図、（ｂ）はステアリングセンサのスリット板とフォトインタラプタの概要を示した斜視図である。
【図４】  図３に示すステアリングセンサのＡ相とＢ相の出力を示すタイミングチャートである。
【図５】  本発明の一実施形態におけるコントローラの処理を示すフローチャートである。
【図６】  本発明の一実施形態におけるコントローラのステアリングセンサ信号処理を示すフローチャートである。
【図７】  本発明の一実施形態におけるコントローラのステアリングセンサの中立点処理を示すフローチャートである。
【図８】  本発明の一実施形態における走行予想軌跡の算出に用いる説明図である。
【図９】  本発明の一実施形態における走行予想軌跡の表示例を示した図であり、（ａ）は予想轍による表示、（ｂ）は車幅分の走行エリアベルト表示、（ｃ）ははしご状表示を示す図である。
【図１０】  本発明の一実施形態におけるカメラおよびディスプレィのグラフィックス表示座標である。
【図１１】  本発明の一実施形態における駐車補助装置のカメラを車両へ取り付けた場合の取り付け状態を示した図である。
【図１２】  本発明の一実施形態における駐車補助装置の座標変換方法を説明する説明図である。
【図１３】  本発明の一実施形態におけるディスプレィの表示画面例である。
【図１４】  縦列駐車の動作説明図である。
【図１５】  本発明の一実施形態における走行予想軌跡の算出に用いる説明図である。
【図１６】  本発明の一実施形態における縦列駐車時の走行予想軌跡の変化を示した図であり、（ａ）は車両位置が図１４に示すａ位置での状態、（ｂ）は切り返し点ＰＴでの状態、（ｃ）は図１４に示すｃ位置での状態を示す。
【符号の説明】
１  駐車補助装置
２  ステアリングセンサ
３  シフトレバーリバーススイッチ
４  駐車スイッチ（駐車指示手段）
９  スーパーインポーズ回路
１２  グラフィックス描画回路（走行予想軌跡表示手段）
１１  ＣＰＵ
１３  ディスプレィ（表示手段）
１７  ＣＣＤカメラ（カメラ）
２０  走行予想軌跡
２０ａ  Ｓ字形状の走行予想軌跡
２０ｂ  マーカー
２０ｃ  後端
２１  ステアリングホイール（ステアリング）
４０  縁石
【図１】
0004096445.tif 000002
【図２】
0004096445.tif 000003
【図３】
0004096445.tif 000004
【図４】
0004096445.tif 000005
【図５】
0004096445.tif 000006
【図６】
0004096445.tif 000007
【図７】
0004096445.tif 000008
【図８】
0004096445.tif 000009
【図９】
0004096445.tif 000010
【図１０】
0004096445.tif 000011
【図１１】
0004096445.tif 000012
【図１２】
0004096445.tif 000013
【図１３】
0004096445.tif 000014
【図１４】
0004096445.tif 000015
【図１５】
0004096445.tif 000016
【図１６】
0004096445.tif 000017